(57)【要約】【課題】白熱電球を用いた従来の照明スタンドに比べ、同じ程度の明るさで消費電力が小さく、小形化が可能で省エネルギー性に富む照明スタンドを提供する。【解決手段】光源にＦＨＣ１３高周波点灯専用環形蛍光ランプ１を用いる。蛍光ランプは白熱電球に比べ発熱が少ないので、光源とセードとの間の距離を小さくして、セードを薄形化できる。蛍光ランプ１に仰角を与えると、更に薄形化できる。セードを構成する前面側カバー１０Ｆ　と背面側カバー１０Ｒ　との間に隙間１１を設けると、放熱効果が高まり、蛍光ランプ１のエネルギー消費効率がより向上する。ランプベース２が最も低い位置にくるようにすると、セードに影が映り難くなるので、外観が良くなる。ランプホルダー８を透明材料で作ると、ホルダーの影がセードに映らなくなるので、外観が更に向上する。隙間１１に着色透明樹脂板を挟むと、その樹脂板の端が光るので、デザイン性が向上する。【選択図】　　　図１
2004087181.tif 000002
【特許請求の範囲】
【請求項１】
縦向きに固定した環形蛍光ランプを光源に用いたことを特徴とする照明スタンド。
【請求項２】
光源の環形蛍光ランプと、
前記環形蛍光ランプを中空に、縦向きに保持する支柱と、
前記支柱を支持して照明スタンドの台座の役をなす本体と、
前記本体内に収納された、前記環形蛍光ランプの点灯回路と、
前記環形蛍光ランプを取り囲むセードとを含んでなる照明スタンド。
【請求項３】
前記環形蛍光ランプは、ランプベースが最も低い位置にくるようにされていることを特徴とする、請求項１又は請求項２に記載の照明スタンド。
【請求項４】
前記環形蛍光ランプは仰角を有していて、ランプピン突出側の面が下側になるように傾いていることを特徴とする、請求項３に記載の照明スタンド。
【請求項５】
前記環形蛍光ランプを支柱に固定する固定具が透明であることを特徴とする、請求項２乃至４の何れか１項に記載の照明スタンド。
【請求項６】
前記セードは、前記環形蛍光ランプを前面側から覆い隠す第１のカバーと背面側から覆い隠す第２のカバーとを合せた構造で、扁平なものであることを特徴とする、請求項２乃至５のいずれか１項に記載の照明スタンド。
【請求項７】
前記セードを構成する第１のカバー及び第２のカバーが共に光透過性の材料からなることを特徴とする、請求項６に記載の照明スタンド。
【請求項８】
前記セードを構成する第１のカバー及び第２のカバーの合せ目になる部分どうしの間に隙間を設けたことを特徴とする、請求項６又は請求項７に記載の照明スタンド。
【請求項９】
前記第１のカバーと第２のカバーとの合せ目の隙間に光透過性の着色物を介挿したことを特徴とする、請求項８に記載の照明スタンド。
【請求項１０】
前記セードに模様を施したことを特徴とする、請求項２乃至９の何れか１項に記載の照明スタンド。
【請求項１１】
前記光源の環形蛍光ランプに、高周波点灯専用環形蛍光ランプＦＨＣ１３を用いたことを特徴とする、請求項１乃至１０の何れか１項に記載の蛍光ランプ。
【発明の詳細な説明】
【０００１】
【発明の属する技術分野】
本発明は、照明スタンドに関する。
【０００２】
【従来の技術】
机やテーブルあるいは床などの上に置いて使用する台付き電灯照明器具、いわゆる電気スタンド（或いは、照明スタンド）には、従来、白熱電球を光源に用いたものが多い。白熱電球を用いた照明スタンドの一例の透視側面図を示す図２を参照して、木やプラスチック或いは大理石などのような不燃性、絶縁性の材料でできた円板状の本体２１の上面の中央に、ランプソケット２２が上向きに固定されていて、そのソケットに光源の白熱電球２３が取り付けられている。ランプソケット２２には、また、保安球２４を取り付けるための別口のソケットが併設されている。
【０００３】
本体２１の上面には、光源の白熱電球２３を取り囲む円筒状のセード２５が取り付けられている。このセード２５は光透過性をもつ材料でできていて、光源の光が直接眼に入って眩しいことのないように、光拡散性をもたせた乳白色にされている。セードの材料には例えばアクリル樹脂などのような樹脂が多く用いられるが、例えばガラス製など他の材料でできていることもある。セード２５の上面と下面には、光源の熱を放熱するために、通風孔などの開口部を設けることもある。セード２５は、本体２１の上面の縁に設けられた図示しない円周状の溝に嵌め込まれて固定されるが、図２に示されるように、フレーム２６などを併用してセードの保持性を高めたりデザインをよくするようなこともある。本体２１の下部からは、電源コード２７がソケット２２に通じている。
【０００４】
上述したように、一般に照明スタンドは、光源（この例の場合は、白熱電球２３）と、光源を支える支持部材（同、ランプソケット２２）と、光源を覆うセード２５と、上記支持部材であるソケット２２およびセード２５の取付け台としての役をなすと同時に、照明スタンドを立てるときの台座としての役なす本体２１とを主たる構成要素としている。そして、単なる照明の用途のみならず、インテリアスタンドと呼ばれるものに代表されるように、室内や卓上を飾る装飾の一部として用いられるという性格ももっているので、本体やセードなどにはさまざまな意匠が凝らされ、多様な材料が用いられるが、本発明との関連性の観点から従来の照明スタンドの特徴を言えば、光源に白熱電球を用いていることである。
【０００５】
【発明が解決しようとする課題】
一般家庭の照明の光源に白熱電球と蛍光ランプとがあり、蛍光ランプは白熱電球に比べ高効率で、少ない消費電力で同じ程度の明るさが得られることはよく知られている。つまり、白熱電球と蛍光ランプとを比べた場合、同じ程度の明るさであれば、白熱電球の方が発熱が大きい。
【０００６】
そこで、上に述べた従来の照明スタンドは、光源に白熱電球を用いているそのことが原因で、セードを含めた全体の形状をある程度以下には小さくできないことになる。すなわち、上述したように、照明スタンドの材料には、樹脂かガラスが一般的に用いられる。ガラスは重く、破損したときには散乱した破片で怪我をするなどの危険性が高いので、照明スタンドのセードには使いにくいものの、耐熱性が高いので、セードを小形にするという観点だけから見れば、セードの材料に適している。しかしながら、白熱電球はそれ自体が高温になるので、セードと電球との間に或る程度の距離を設けておかないとセードそのものが熱くなって、火傷や火災などの危険性が生じる。一方、樹脂製のセードは成形性がよく、破損した場合の危険性もガラス製のセードに比べて低いという利点を持っているものの、耐熱性が低く熱によって変形しやすい。結局、樹脂製のセードの場合も、光源の白熱電球とセードとの間に十分な距離を設けることが必要になる。
【０００７】
従って、本発明は、光源に白熱電球を用いた従来の照明スタンドに比べ、同じ程度の明るさで消費電力が小さく、小形化が可能で省エネルギー性に富む照明スタンドを提供することを目的とする。
【０００８】
【課題を解決するための手段】
本発明の照明スタンドは、縦向きに固定した環形蛍光ランプを光源に用いたことを特徴とする。
【０００９】
特に、上記光源の環形蛍光ランプに、高周波点灯専用の小形環形蛍光ランプＦＨＣ１３を用いることを特徴とする。
【００１０】
【発明の実施の形態】
次に、本発明の実施の形態について、図面を参照して説明する。本発明の第１の実施例（実施例１）に係る照明スタンドの側面図および正面図を示す図１を参照して、本実施例に係る照明スタンドは、光源に環形蛍光ランプ１を用いている点が、図３に示す従来の照明スタンドと最も大きく異なっている。光源の環形蛍光ランプ１は、高周波点灯専用環形蛍光ランプＦＨＣ１３であって、現在製品化されている環形蛍光ランプの中で最も小形のランプである。この環形蛍光ランプＦＨＣ１３は管径１６ｍｍ、環外径１５１ｍｍの寸法で、定格ランプ電力１３Ｗのとき全光束９８０ｌｍの明るさがあり、一般家庭の照明スタンドの光源に使われることの多い１００Ｖ６０形の白熱電球（定格消費電力５４Ｗ、全光束８１０ｌｍ）以上の明るさを持っていながら、消費電力は約１／４である。また、高出力時（ランプ電力１８Ｗ）には全光束１３２０ｌｍの明るさであり、１００Ｖ１００形白熱電球（定格消費電力９０Ｗ、全光束１５２０ｌｍ）に近い明るさを持ちながら、消費電力はやはり１／４以下である。
【００１１】
上述のＦＨＣ１３環形蛍光ランプ１は、環径方向の面がほぼ垂直（実際には、後述するように、約５度の仰角を持っている。）になるように縦向きに、且つ、ランプベース２が最も低い位置にくるように保持されている。すなわち、本実施例の照明スタンドにおいては、直方体形状の本体３の上面に、光源のＦＨＣ１３環形蛍光ランプ１を保持するための支柱４が立てられていて、蛍光ランプ１は、この支柱４によって、本体３上の中空に、縦向きに保持されている。本体３は強度の高いエンジニアリングプラスチックでできていて、内部が空洞の箱形で、照明スタンドの台座の役をなしている。本体３の内部の空間には光源の蛍光ランプ１の点灯回路５が納められていて、本体３の側板を通して導入される電源コード２７から、回路動作のための電力を供給されている。本体３の底板には、照明スタンドが転倒したときに点灯回路の動作を止める、防災用の安全スイッチ６が取り付けられている。
【００１２】
支柱４は、帯板状の板金を加工したもので、立てた状態で底部をねじ７で本体３の上面に固定され、頂点の部分に、光源の蛍光ランプ１を保持するためのランプホルダー８が取り付けられている。支柱４には、また、本体３との結合部と上記ランプホルダー８との間の位置に、ソケット９が取り付けられている。このソケット９は、点灯回路５からの電力を光源の環形蛍光ランプ１に供給するためのもので、ここに、蛍光ランプ１のランプベース２に取り付けられている図示しないランプピンが挿入される。
【００１３】
台座である本体３の上面には、また、光源の蛍光ランプ１を取り囲むセードが取り付けられている。このセードは、蛍光ランプ１に前面側から覆いかぶさる前面側カバー１０Ｆ　と、背面側から覆いかぶさる背面側カバー１０Ｒ　との２つからなり、上記２つのカバー１０Ｆ　，１０Ｒ　で蛍光ランプ１を挟んだような構造になっている。それぞれのカバー１０Ｆ　，１０Ｒ　は全体としては直平面状であるが周縁の部分は丸みを帯び、窪みのある皿状の形になっていて、セード全体としては、光源が直視されない、扁平で薄形の閉構造になっている。それぞれのカバー１０Ｆ　，１０Ｒ　は共にアクリル樹脂製で、光拡散性もたせた乳白色にされていて、２つのカバー１０Ｆ　，１０Ｒ　それぞれの合せ目になる部分どうしの間には、３〜５ｍｍ程度の隙間１１を空けてある。どちらのカバーも、本体３の上面に設けられた図示しない溝に低部が嵌め込まれ、支柱４の底部のカバー取付け部１２に化粧ねじ１３で垂直に固定されている。カバー取付け部１２は、支柱４の本体３への取付け部分の残りの部分を上向きに折り曲げて作られている。
【００１４】
本発明に係る照明スタンドは、光源に環形蛍光ランプを用いているので、同程度の明るさの白熱電球に比べ消費電力はずっと少なく、発熱が少ない。従って、その分、セードと光源との間の距離を小さくできる。つまり、セードを含めた全体の厚さを薄くできる。特に、本実施例に係る照明スタンドにおいて光源に用いた高周波点灯専用環形蛍光ランプＦＨＣ１３は、一般家庭の照明スタンドに使われることの多い１００Ｖ１００形や６０形の白熱電球に比べ、同じ程度の明るさを得られるので、明るさの点で照明スタンドの光源に適している。のみならず、消費電力が約１／４で済むので、照明スタンドの小型化の点でも、経済性の点でも優れている。
【００１５】
本実施例においては、光源に上記環形蛍光ランプＦＨＣ１３を用いたことによる薄形化の効果を更に高めるために、前述したように、蛍光ランプ１に約５度の仰角を与えている。すなわち、環形蛍光ランプは、通常、ＪＩＳによって、ランプピン（ランプベースに取り付けられている、電力給電のための２つのピン）の突出方向が蛍光ランプの環径方向の平面に対して４５度の角度になるように定められており、ＦＨＣ１３環形蛍光ランプもこれに倣って、ランプピンは上記４５度の方向に取り付けてある。従って、本実施例において、光源のＦＨＣ１３環形蛍光ランプ１を、その環径方向の面が真に垂直になるように支柱４に取り付けると、ソケット９はランプピンの方向にあったように取り付けなければならないので、ソケット９がランプピンの方向に出っ張ることになる。そこで、本実施例においては、上記ソケット９の出っ張り量を小さくするため、蛍光ランプのランプベース２をソケット９とは反対方向へ僅かに（約５度）振って、蛍光ランプ１とソケット９とを含めた寸法を、センター振分けで前面側と背面側に均等に配分して、全体の厚さが薄くなるようにしている。
【００１６】
本実施例において、照明スタンド全体での厚さ（化粧板１４（化粧ねじ１３を隠してデザイン性を高めるための板）の厚さを含む）は、９０ｍｍにできる。高さは、本体３の底板からセードの最高点まで２８９ｍｍであり、正面から見た幅は２３１ｍｍである。これに対し、光源に白熱電球を用いた従来の照明スタンドで１００Ｖ６０形白熱電球を用い、セードを円筒形で本実施例と同じアクリル樹脂製のものにした照明スタンドでは、セードの直径を２００ｍｍ程度、本体２１（図３参照）上面からのセードの高さを２５０ｍｍ程度に小さくするのが限度であった。更に、本実施例においては、光源のＦＨＣ１３環形蛍光ランプ１を高出力モードで点灯させ１００Ｖ１００形白熱電球とほぼ同等の明るさが得られるようにした場合でも、セードの外形寸法は上に述べたと同じままで済むことが確かめられ、本実施例に係る照明スタンドにおいて、セードと光源の環形蛍光ランプとの間の距離を決めるのは、光源の蛍光ランプの消費電力より、むしろ、照明スタンドとしての外観或いはデザイン性であることが分った。セードと光源との間が狭すぎると、セードの表面に環形形状のランプイメージがくっきりと浮き出て、外観が損なわれるのである。一方、従来の照明スタンドで、光源を１００Ｖ１００形白熱電球に取り替えた場合には、長時間にわたる点灯でセードの変形が認められた。
【００１７】
本実施例に係る照明スタンドにおいては、セードの前面側カバー１０Ｆ　と背面側カバー１０Ｒ　との間に、３〜５ｍｍ程度の隙間１１を開けてある。一般に、蛍光ランプはランプ温度が低い方がエネルギー消費効率（全光束対ランプ電力の比（ｌｍ／Ｗ））が良くなるのであるが、本実施例のようにすると、光源の蛍光ランプ１の発生熱がこのセードの隙間１１から放出され、ランプが冷やされやすくなるので、エネルギー消費効率が向上する。
【００１８】
本実施例においては、蛍光ランプ１の放熱効果を高めるため、セードに隙間１１を設けるのに加えて、ランプベース２を一番低い位置にもってくるようにしている。このようにすると、煙突効果が働いて、蛍光ランプ１の発生熱はより効果的に放出される。
【００１９】
上述したようにランプベース２を最も低い位置にもってくると、ランプベース２の影がセードに出にくくなるので、放熱の点のみならず、照明スタンドの外観を良くする点でも好ましい効果が得られる。本実施例においては、加えて、ランプホルダー８の材料を透明にして、ランプホルダー８の影のセードへの映り込みをなくし、照明スタンドの外観をよりよいものにしている。
【００２０】
本実施例においては、セードの前面側カバー１０Ｆ　と背面側カバー１０Ｒ　のどちらも、光透過性の材料で作られている。これは、本発明者らの実験により、どちらかのカバー（例えば、背面側カバー１０Ｒ　）に光反射性の材料を使うと、反対側のカバー（同、前面側カバー１０Ｆ　）にランプホルダー８やランプベース２の影が映し出されて、照明スタンドとしての外観が損なわれることが分ったからである。
【００２１】
次に、本発明の第２の実施例（実施例２）について、説明する。実施例２に係る照明スタンドの側面図および正面図を示す図２を参照して、本実施例は、セードを構成する前面側カバー１０Ｆ　と背面側カバー１０Ｒ　との間の隙間１１（図１参照）に着色透明樹脂板１５を挟んだ点が、実施例１に係る照明スタンドと異なっている。このようにすると、セードの隙間から光源の光をじかに直視することがなくなると共に、着色透明樹脂板１５の端が光って、実施例１とは異なったデザインの装飾性に富んだ照明スタンドが得られる。この着色透明板１５は、本実施例の場合、前面側カバー１０Ｆ　と背面側カバー１０Ｒ　との間の隙間に全周にわたって挟んだが、所々に挟み込むようにしてもよい。隙間のどの部分にどの程度の長さにわたって着色透明樹脂板１５を設けるかや、その色をどのようにするかなどは、適宜決めればよい。さらには、着色透明板は必ずしも樹脂製でなくても構わない。ガラス製であっても、勿論、良い。
【００２２】
尚、これまで述べた実施例１および実施例２においては、いずれの場合も、セードには乳白色のものを用いたが、本発明はこれに限られるものではない。他のどのような色にしても構わない。更には、セード全体を一色にするのではなく、模様を描いて装飾性を高めても良いし、また、和紙柄の印刷をして、和風のインテリアスタンドにするのも良いであろう。
【００２３】
【発明の効果】
以上説明したように、本発明によれば、光源に白熱電球を用いた従来の照明スタンドに比べ、同じ程度の明るさで消費電力が小さく、小形化が可能で省エネルギー性に富む照明スタンドを提供することができる。
【図面の簡単な説明】
【図１】本発明の実施例１に係る照明スタンドの側面図および正面図である。
【図２】本発明の実施例２に係る照明スタンドの側面図および正面図である。
【図３】光源に白熱電球を用いた従来の照明スタンドの一例の側面図である。
【符号の説明】
１　　環形蛍光ランプ（ＦＨＣ１３）
２　　ランプベース
３　　本体
４　　支柱
５　　点灯回路
６　　安全スイッチ
７　　ねじ
８　　ランプホルダー
９　　ソケット
１０Ｆ　　　前面側カバー
１０Ｒ　　　背面側カバー
１１　　隙間
１２　　カバー取付け部
１３　　化粧ねじ
１４　　化粧板
１５　　着色透明樹脂板
【図１】
2004087181.tif 000003
【図２】
2004087181.tif 000004
【図３】
2004087181.tif 000005